(57)【要約】【課題】気泡による効果と芳香による効果を同時に得ることができる気泡発生装置を提供する。【解決手段】空気供給手段１５と、この空気供給手段１５から供給された空気により気泡を発生する気泡発生部たる座板３とを備える。空気供給手段１５をケース１１内に収納し、このケース１１内に吸気路１７を設け、この吸気路１７に芳香材収納部２２を設け、この芳香材収納部２２の芳香源を交換可能に設けたから、吸気路１７の空気に芳香を付与し、芳香を備えた気泡が得られる。また、芳香源２６を交換することにより、種々の芳香を楽しむことができる。さらに、マイナスイオン発生部３４を備えるから、発生する気泡からマイナスイオンが発生し、マイナスイオン効果をも得られる。【選択図】図１
2010088746.tif 000002
【特許請求の範囲】
【請求項１】
空気供給手段と、この空気供給手段から供給された空気により気泡を発生する気泡発生部とを備えた気泡発生装置において、前記空気に芳香を付与する芳香付与手段を備えることを特徴とする気泡発生装置。
【請求項２】
前記空気供給手段をケース内に収納し、このケース内に空気通路を設け、この空気通路に前記芳香付与手段を設けたことを特徴とする請求項１記載の気泡発生装置。
【請求項３】
前記空気通路に吸気部を設け、この吸気部に前記芳香材付与手段を設け、この芳香材付与手段に芳香材の供給源を交換可能に設けたことを特徴とする請求項２記載の気泡発生装置。
【請求項４】
前記空気通路にマイナスイオンを供給するマイナスイオン発生部を備えることを特徴とする請求項２記載の気泡発生装置。
【請求項５】
前記気泡発生部が、前記空気通路の末端側に連結され、気泡を発生する複数の小孔を有する座板であることを特徴とする請求項２記載の気泡発生装置。
【請求項６】
前記座板には、左右の前後突条とこれら前後突条を連結する左右突条との間に着座面を設けたことを特徴とする請求項５記載の気泡発生装置。
【請求項７】
前記座板に鉱石を収納したことを特徴とする請求項５又は６記載の気泡発生装置。
【発明の詳細な説明】
【技術分野】
【０００１】
この発明は、浴槽などにおいて気泡を発生させる気泡発生装置に関する。
【背景技術】
【０００２】
従来、この種のものとして、浴槽に配置する椅子本体に気泡を発生する機構を具備してなり、断面円形に成る管材を数本適当間隔をおいて構成した座部の下方部に散気管を設置し、この散気管に送風して微細気泡を発生せしめるように構成した気泡発生装置があり、気泡発生装置では、浴槽に配置した椅子本体の散気管に送風することにより、多孔質からなる散気管から微細気泡が発生し、この微細気泡は座部の多数の並列管材間をスムーズに且つ均等に上昇し、下半身に良好な刺激を与える（例えば特許文献１）。
【０００３】
また、入浴などにおいて、芳香薬剤を配合した入浴剤を用いることによりアロマセラピー効果が得られることが知られている（例えば特許文献２）。
【特許文献１】特開２００４−７３３０１
【特許文献２】特開平６−２７１４５５
【発明の開示】
【発明が解決しようとする課題】
【０００４】
上記従来技術のように、入浴などにおいて、気泡による効果と芳香による効果を同時に得るためには、気泡発生装置と入浴剤とを別々に用いる必要があり、手間が掛かる面がある。
【０００５】
また、芳香効果以外にも、入浴に適した雰囲気が得られれば、さらに商品価値が向上する。
【０００６】
そこで、本発明は、気泡による効果と芳香による効果を同時に得ることができる気泡発生装置を提供することを目的とし、加えて、他の効果を付与することにより商品価値を高めることができる気泡発生装置を提供することを目的とする。
【課題を解決するための手段】
【０００７】
本発明の請求項１では、空気供給手段と、この空気供給手段から供給された空気により気泡を発生する気泡発生部とを備えた気泡発生装置において、前記空気に芳香を付与する芳香付与手段を備えるものである。
【０００８】
本発明の請求項２では、前記空気供給手段をケース内に収納し、このケース内に空気通路を設け、この空気通路に前記芳香付与手段を設けたものである。
【０００９】
本発明の請求項３では、前記空気通路に吸気部を設け、この吸気部に前記芳香材付与手段を設け、この芳香材付与手段に芳香材の供給源を交換可能に設けたものである。
【００１０】
本発明の請求項４では、前記空気通路にマイナスイオンを供給するマイナスイオン発生部を備えるものである。
【００１１】
本発明の請求項５では、前記気泡発生部が、前記空気通路の末端側に連結され、気泡を発生する複数の小孔を有する座板であるものである。
【００１２】
本発明の請求項６では、前記座板には、左右の前後突条とこれら前後突条を連結する左右突条との間に着座面を設けたものである。
【００１３】
本発明の請求項７では、前記座板に鉱石を収納したことを特徴とする請求項５又は６記載の気泡発生装置。
【発明の効果】
【００１４】
本発明の請求項１によれば、発生する気泡と気泡に含まれる芳香により、マッサージ効果と芳香効果とを同時に得ることができる。
【００１５】
本発明の請求項２によれば、空気通路の空気に芳香を付与し、芳香を備えた気泡が得られる。
【００１６】
本発明の請求項３によれば、芳香材の供給源を交換することにより、種々の芳香を楽しむことができる。
【００１７】
本発明の請求項４によれば、発生する気泡からマイナスイオンが発生し、マイナスイオン効果をも得られる。
【００１８】
本発明の請求項５によれば、浴槽に配置した座板に着座した状態で、気泡によるマッサージ効果を得ることができる。
【００１９】
本発明の請求項６によれば、着座面に安定して着座することができる。
【００２０】
本発明の請求項７によれば、鉱石により遠赤外線効果などが得られる。
【発明を実施するための最良の形態】
【００２１】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な気泡発生装置を採用することにより、従来にない気泡発生装置が得られ、その気泡発生装置について記述する。
【実施例１】
【００２２】
以下、本発明の実施例１について、図１〜図１０を参照して説明する。同図に示すように、気泡発生装置１は、装置本体２と、気泡を発生する気泡発生部たる座板３とを備える。前記装置本体２は、ケース本体１１を備え、このケース本体１１は、下ケース１２と、この下部ケース１２の上部に着脱自在に設ける蓋ケース１３とを備え、この蓋ケース１３は断面略逆Ｕ字状をなし、前記下ケース１２は、底板部１２Ａと相互に対向する側板部１２Ｂ，１２Ｃとを備え、底板部１２Ａの下部に脚部１４を備える。
【００２３】
前記ケース本体１１内にダイヤフラムブロアなどの空気供給手段１５を内蔵し、この空気供給手段１５の吸込口と一方の側板部１２Ｂに設けた吸気部１６とを吸気路１７により連結し、前記空気供給手段１５の吐出口と他方の側板部１２Ｃに設けた吐出部１８とを吐出路１９により連結する。尚、前記吸気路１７と空気供給手段１５と吐出路１９が空気通路である。
【００２４】
前記吸気部１６は、前記側板部１２Ｂに縦長方形の開口部１９を有し、この開口部２１に底角筒型の芳香材収納部２２が設けられ、この芳香材収納部２２の下部前側を枢軸２３により側板部１２Ｂに回動自在に設けると共に、閉めた状態で、芳香材収納部２２の前板２２Ｍが前記開口部２１を塞ぐ。この状態で、芳香材収納部２２の上部開口２２Ｊが、吸気路１７に連通する。また、前記前板部２２Ｍの上部には摘み２４が設けられ、前板部２２Ｍの下部には複数の小孔からなる吸気口２５が設けられている。尚、芳香材収納部２２の側面にも、図示しない吸気口２５が穿設されている。
【００２５】
そして、前記摘み２４を外側に引いて、芳香材収納部２２の上部を前側に倒すと、前記芳香材収納部２２の後面部の上縁２２Ｕが、開口部２１の上縁内面２１Ｎに当接し、位置決めされ、芳香材収納部２２の上部開口２２Ｊから芳香源２６を出し入れすることができる。この芳香源２６は芳香材の供給源であって、芳香材を詰めたアロマポットや、芳香材を含んだスポンジなどが例示され、芳香材は各種のものを用いることができる。
【００２６】
前記ケース１１内の側板部１２Ｃ側には、制御手段たる制御基板３１が設けられると共に、この制御基板３１の上部を覆う板状の覆い３２が設けられ、この覆い３２の下部にマイナスイオン発生器３３が取り付けられ、このマイナスイオン発生器３３は、高電圧発生装置などからなり、前記吐出路１７に設けたマイナスイオン発生部３４において、マイナスイオンを発生せしめる。マイナスイオン発生部３４は放電電極などにより構成され、マイナスイオン発生器３３により高電圧が印加されることにより、コロナ放電などにより、マイナスイオンを発生する。尚、マイナスイオン発生器３３及び空気供給手段１５の制御は、前記制御基板３１により行われる。また、側板部１２Ｃには、気泡発生装置１を操作する操作部３５が設けられ、この操作部３５により装置１のオン・オフやマイナスイオン発生のオン・オフやそれらを連続運転と間欠運転に切り替えたり、さらにはタイマー運転により設定した時間だけ気泡発生及び／又はマイナスイオンの発生の運転をするように設定したりすることができる。尚、図中、３６は装置本体２を持ち運ぶ際などに使用するハンドルである。
【００２７】
前記吐出路１９の先端に位置する前記吐出部１８は、雌ソケットになっており、可撓性管材であるホース４１が接続され、このホース４１の他端には、気泡発生部たる座板３が接続される。
【００２８】
この座板３は略長方形形状の板状をなし、四隅の角部が湾曲状に形成され、前側角部５２，５２が後側角部より大きな曲率の湾曲状に形成されている。前記座板３は、下板部５３と上板部５４とからなり、図７に示すように、周囲溝５５と、周囲溝５５を連結する中央の左右溝５６と、この左右溝５６と周囲溝５５の前側中央を連結する前側溝５７とを備え、上，下板部５３，５４を組み立てることにより、これら上板部５３により周囲溝５５，左右溝５６及び前側溝５７の上部が閉塞されて周囲溝通路５５Ａ，左右溝通路５６Ａ及び前側溝通路５７Ａが形成され、そして、周囲溝５５の前側角部５２位置に接続管５９が突設され、この接続管５８は前記周囲溝通路５５Ａに連通し、その接続管５９に前記ホース４１の他端が接続されている。
【００２９】
前記上板部５４には、前記通路５３Ａ，５４Ａ，５５Ａに連通する大きさの異なる小孔５８，５８Ａ，５８Ｂが複数穿設され、これら小孔５８，５８Ａ，５８Ｂから気泡が発生する。前記小孔５８，５８Ａ，５８Ｂの直径は、５ｍｍ，４ｍｍ，２ｍｍなどが例示される。
【００３０】
このように座板３の内部全体に空気を吹き込むことなく、通路５３Ａ，５４Ａ，５５Ａに空気を圧送することにより、騒音を低減することができる。すなわち、通路がないと、座板３内に共鳴が発生し、騒音が大となる。
【００３１】
また、大きさの異なる小孔５８，５８Ａ，５８Ｂから気泡を出すことにより、大きさの異なる気泡が発生し、気泡が割れる際、洋々な領域の超音波が発生し、マッサージ効果が得られる。
【００３２】
前記座板３の上板部５４には、後側の左右に前後突条６１，６１を設け、これら前後突条６１，６１は前後方向に設けられ、両側の前後突条６１，６１の前側を左右方向の左右突条６２により連結している。図８に示すように、前後突条６１，６１の内側は緩やかな湾曲傾斜面６１Ａ，６１Ａに形成され、図９に示すように、左右突条６２は、前後突条６１，６１より低く形成されている。そして、前記前後突条６１，６１と左右突条６２との間に着座面６６が形成される。
【００３３】
したがって、前後突条６１，６１間に着座することにより、安定して着座することができ、さらに、骨盤の広がりを縮小し、左右の骨盤の矯正を行うことができる。また、左右突条６２により前後に滑ることがない。
【００３４】
また、前記周囲溝５５，左右溝５６及び前側溝５７の間の収納空間６３には、トルマリン，アパタイト・麦飯石・ゲルマニュームなどの遠赤外線効果が期待できる鉱石６４を収納し、収納空間６３に対応して、前記上板部５４に複数の通水孔６５が穿設されている。
【００３５】
次に、前記構成につき、その作用を説明する。芳香材収納部２２に好みの芳香源２６を入れ、芳香材収納部２２により開口部２１を閉める。一方、座板３をお湯を入れた浴槽（図示せず）の底面上に配置する。
【００３６】
操作部３５を操作して空気供給手段１５を駆動すると、空気が吸気口２５から吸い込まれ、芳香材収納部２２の芳香源２６により芳香が付与され、この芳香が付与された空気が、吸気路１７，空気供給手段１５，吐出路１９，ホース４１を通って座板３へと送られ、前記通路５３Ａ，５４Ａ，５５Ａを通って小孔５８，５８Ａ，５８Ｂから気泡が発生する。この気泡には、アロマオイルや香料などの芳香が付与されており、香りと共に気泡のマッサージ効果を得ることができる。
【００３７】
また、操作部３５の操作により、マイナスイオン発生器３３を駆動し、空気にマイナスイオンを混合すれば、マイナスイオンを含んだ気泡が発生し、マイナスイオン効果が得られる。
【００３８】
上記のように溝状の通路５５Ａ，５６Ａ，５７Ａを設けることにより、騒音が低減される。また、鉱石６４の効果により、マイナスイオンや遠赤外線効果や新陳代謝などの効果がえられ、体の汚れや老廃物が落ち易くなり、発汗作用も得られる。また、座板３にすらることにより骨盤の広がりを縮小し、左右の骨盤の矯正効果が期待できる。
【００３９】
このように本実施例では、請求項１に対応して、空気供給手段１５と、この空気供給手段１５から供給された空気により気泡を発生する気泡発生部たる座板３とを備えた気泡発生装置において、空気に芳香を付与する芳香付与手段たる芳香材収納部２２を備えるから、発生する気泡と気泡に含まれる芳香により、マッサージ効果と芳香効果とを同時に得ることができる。
【００４０】
また、このように本実施例では、請求項２に対応して、空気供給手段１５をケース１１内に収納し、このケース１１内に空気通路たる吸気路１７を設け、この吸気路に芳香付与手段たる芳香材収納部２２を設けたから、吸気路１７の空気に芳香を付与し、芳香を備えた気泡が得られる。
【００４１】
また、このように本実施例では、請求項３に対応して、空気通路たる吸気路１７に吸気部１６を設け、この吸気部１６に前記芳香材付与手段たる芳香材収納部２２を設け、このたる芳香材収納部２２に芳香材の供給源たる芳香源２６を交換可能に設けたから、芳香源２６を交換することにより、種々の芳香を楽しむことができる。
【００４２】
また、このように本実施例では、請求項４に対応して、空気通路たる吐出路１９にマイナスイオンを供給するマイナスイオン発生部３４を備えるから、発生する気泡からマイナスイオンが発生し、マイナスイオン効果をも得られる。
【００４３】
また、このように本実施例では、請求項５に対応して、前記気泡発生部は、空気通路たる吐出路１９の末端側にホース４１により連結され、気泡を発生する複数の小孔５８，５８Ａ，５８Ｂを有する座板３であるから、浴槽に配置した座板３に着座した状態で、気泡によるマッサージ効果を得ることができる。
【００４４】
また、このように本実施例では、請求項６に対応して、座板３には、左右の前後突条６１，６１とこれら前後突条６１，６１を連結する左右突条６２との間に着座面６６を設けたから、着座面６６に安定して着座することができる。
【００４５】
また、このように本実施例では、請求項７に対応して、座板３に鉱石６４を収納したから、遠赤外線効果なども得られる。
【００４６】
なお、本発明は、前記実施例に限定されるものではなく、種々の変形実施が可能である。例えば、実施例では、小孔の大きさは適宜選定可能である。
【図面の簡単な説明】
【００４７】
【図１】本発明の実施例１を示すケースの断面図である。
【図２】同上、ケースの一方の側面図である。
【図３】同上、ケースの他方の側面図である。
【図４】同上、芳香材収納部回りの断面図である。
【図５】同上、気泡発生部の斜視図である。
【図６】同上、気泡発生部の平面図である。
【図７】同上、気泡発生部の下板部の平面図である。
【図８】同上、気泡発生部の正面図である。
【図９】同上、気泡発生部の背面図である。
【図１０】同上、気泡発生部の側面図である。
【符号の説明】
【００４８】
１  気泡発生器
２  装置本体
３  座板（気泡発生部）
１１  ケース
１５  空気供給手段
１６  吸気部
１７  吸気路（空気通路）
１８  吐出部
１９  吐出路（空気通路）
２２  芳香材収納部（芳香材付与手段）
２５  吸気口
２６  芳香源（芳香材の供給源）
３４  マイナスイオン発生部
４１  ホース（可撓性管材）
５８  小孔
６１  前後突条
６２  左右突条
６４  鉱石
６６  着座面
【図１】
2010088746.tif 000003
【図２】
2010088746.tif 000004
【図３】
2010088746.tif 000005
【図４】
2010088746.tif 000006
【図５】
2010088746.tif 000007
【図６】
2010088746.tif 000008
【図７】
2010088746.tif 000009
【図８】
2010088746.tif 000010
【図９】
2010088746.tif 000011
【図１０】
2010088746.tif 000012